(57)【特許請求の範囲】
【請求項１】
前後左右の縦材と、該縦材に多段にねじ止めする支持材と、該支持材を介して支持する蓋付きの貸金庫ボックスとを備えてなり、前記各縦材は、一定のピッチｐごとに前記支持材用の取付孔を上下方向に形成し、前記各支持材は、ピッチα≦δ＜ｐ（ただし、δは上下に隣接する前記貸金庫ボックスの間隙であり、αは、ｐ、δの公約数に相当する実用的な数値を選定する）ごとに複数個の取付孔を前記各縦材の取付孔に対応させて上下方向に形成し、ｐの整数倍ごとの固定位置を上下方向にαずつ微調整することにより、αの整数倍相当の任意の高さｈの前記貸金庫ボックスを一定の間隙δを介して多段に支持するためにｈ＋δの固定間隔を実現することを特徴とする貸金庫装置用の収納棚。
【請求項２】
前記各縦材は、ピッチｐ＝ｍａ（ただし、ｍは２以上の自然数、ａは基準ピッチ）ごとに前記支持材用の取付孔を形成し、前記各支持材は、ピッチα＝δ＝ａごとにｍ個の取付孔を形成することを特徴とする請求項１記載の貸金庫装置用の収納棚。
【請求項３】
前記支持材は、ピッチαごとに複数個の取付孔を上下方向に形成するに代えて、１個の取付孔の高さ位置をαずつ異ならせて形成する複数種から選択することを特徴とする請求項１または請求項２記載の貸金庫装置用の収納棚。
【発明の詳細な説明】
【技術分野】
【０００１】
この発明は、貸金庫ボックスの内容積に関する顧客の要望に簡単に対応可能な貸金庫装置用の収納棚に関する。
【背景技術】
【０００２】
金融機関の店舗などには、貸金庫装置を設置し、顧客の要望により、貴重品などを安全に保管することが少なくない（たとえば特許文献１、２）。
【０００３】
貸金庫装置は、一般に、多数の貸金庫ボックスを金庫室内の収納棚に複列多段に収納し、各貸金庫ボックスを顧客ごとに割り当てている。そこで、顧客は、専用のブース内の操作端末を操作して認証を受け、自動搬送システムを介して自分の貸金庫ボックスをブース内にまで搬送させ、貸金庫ボックスの内部を利用することができる。また、利用済の貸金庫ボックスは、顧客の指示により、元の収納棚の位置に自動的に格納される。なお、貸金庫ボックスは、たとえば金庫室ごとに高さ（深さ）を一定に統一し、内容積を均一に揃えるのが普通である。
【先行技術文献】
【特許文献】
【０００４】
【特許文献１】特開２００３−３０１６６３号公報
【特許文献２】特開２００６−３２８７５３号公報
【発明の概要】
【発明が解決しようとする課題】
【０００５】
かかる従来技術によるときは、金庫室内の貸金庫ボックスは、内容積が均一に揃えられているので、内容積の大小に関する顧客の要望に個別に対応することが極めて難しいという問題があった。
【０００６】
そこで、この発明の目的は、かかる従来技術の問題に鑑み、収納棚の縦材に形成する支持材用の取付孔のピッチと、各支持材に設ける複数の取付孔のピッチとの相対関係を適切に設定することによって、任意の高さの貸金庫ボックスを最も効率よく収納することができ、貸金庫ボックスの内容積に関する顧客の要望に容易に対応することができる貸金庫装置用の収納棚を提供することにある。
【課題を解決するための手段】
【０００７】
かかる目的を達成するためのこの発明の構成は、前後左右の縦材と、縦材に多段にねじ止めする支持材と、支持材を介して支持する蓋付きの貸金庫ボックスとを備えてなり、各縦材は、一定のピッチｐごとに支持材用の取付孔を上下方向に形成し、各支持材は、ピッチα≦δ＜ｐ（ただし、δは上下に隣接する貸金庫ボックスの間隙であり、αは、ｐ、δの公約数に相当する実用的な数値を選定する）ごとに複数個の取付孔を各縦材の取付孔に対応させて上下方向に形成し、ｐの整数倍ごとの固定位置を上下方向にαずつ微調整することにより、αの整数倍相当の任意の高さｈの貸金庫ボックスを一定の間隙δを介して多段に支持するためにｈ＋δの固定間隔を実現することをその要旨とする。
【０００８】
なお、各縦材は、ピッチｐ＝ｍａ（ただし、ｍは２以上の自然数、ａは基準ピッチ）ごとに支持材用の取付孔を形成し、各支持材は、ピッチα＝δ＝ａごとにｍ個の取付孔を形成することができる。
【０００９】
また、支持材は、ピッチαごとに複数個の取付孔を上下方向に形成するに代えて、１個の取付孔の高さ位置をαずつ異ならせて形成する複数種から選択することができる。
【発明の効果】
【００１０】
かかる発明の構成によるときは、各支持材は、それぞれの複数個の取付孔の１個を各縦材の取付孔に合わせて固定用のボルトを挿通することにより、各縦材に多段にねじ止めされている。ただし、固定用のボルトは、縦材側、支持材側の各取付孔の一方を雌ねじ付きのタップ孔として、タップ孔にねじ込んでもよく、各取付孔の双方を雌ねじなしのボルト孔として、ナットと組み合わせてもよい。また、一方の取付孔にナットを溶接して、タップ孔に代えてもよい。なお、支持材は、左右一対を前後の縦材の同一高さ位置に掛け渡して固定することにより、貸金庫ボックスを前後に出し入れ可能に支持することができる。ただし、左右一対の支持材は、一体に連結して全体強度を向上させてもよい。
【００１１】
各縦材には、ピッチｐごとに支持材用の取付孔が上下方向に形成されており、各支持材には、ピッチα≦δごとに複数個の取付孔が上下方向に形成されている。そこで、各段ごとの支持材は、各縦材の取付孔に対して同一の高さ位置の取付孔を合わせることにより、各縦材に対してｐの整数倍ごとの一定間隔にねじ止めして固定することができ、上下方向の複数個の取付孔の１個を選択することにより、固定位置を上下方向にαずつ微調整可能である。
【００１２】
一方、任意の高さｈの貸金庫ボックスを支持する支持材の間隔は、上下の貸金庫ボックスの間隙δを考慮してｈ＋δにする必要がある。これに対し、各支持材は、ｐの整数倍ごとの固定位置を上下方向にαずつ微調整することにより、ｈ＋δの固定間隔を実現することができる。ただし、各支持材に形成する複数の取付孔のピッチαは、各縦材の取付孔のピッチｐ、貸金庫ボックスの間隙δに対し、ｐ、δの公約数に相当する数値から実用的な数値を選定すればよく、各支持材の取付孔の個数ｂは、（ｂ−１）α≧ｐとして、各支持材の上下方向の微調整範囲が縦材側の取付孔のピッチｐをカバーするように設定すればよい。
【００１３】
すなわち、各支持材は、一定の間隙δを介して任意の高さｈの貸金庫ボックスを最も効率よく多段に支持するように各縦材にねじ止め可能であり、貸金庫ボックスの内容積の大小に関する顧客の要望に簡単に対応することができる。なお、上下に隣接する貸金庫ボックスの間隙δは、貸金庫ボックスを支持材上に出し入れする際に、貸金庫ボックスを上昇させて各支持材の前端のストッパ部から外すために設けるものであり、たとえばδ＝１０〜２０mmが実用的である。
【００１４】
各縦材の取付孔のピッチｐ＝ｍａとする一方、各支持材の取付孔のピッチα＝δ＝ａとし、個数ｍ個とすれば、各貸金庫ボックスの高さｈ＝ｎａ（ただし、ｎ＝１、２…）に設定することができ、全体の設計を最も単純にすることができる。ただし、ａは、基準ピッチであり、上下に隣接する貸金庫ボックスの間隙δ以上の適当な値に設定する。また、ｍは、２以上の自然数である。
【００１５】
支持材は、１個の取付孔の高さ位置をαずつ異ならせて形成する複数種のうちの１種を選択的に使用しても、前述と同様にして、固定位置を上下方向にαずつ微調整することができる。
【図面の簡単な説明】
【００１６】
【図１】要部分解斜視図
【図２】要部側面図
【図３】要部構成模式説明図
【図４】要部構成模式図
【図５】支持材の側面説明図
【図６】他の実施の形態を示す図３（Ａ）相当図（１）
【図７】他の実施の形態を示す図３（Ｂ）相当説明図（１）
【図８】他の実施の形態を示す図４相当図（１）
【図９】他の実施の形態を示す図３（Ａ）相当図（２）
【図１０】他の実施の形態を示す図３（Ｂ）相当説明図（２）
【図１１】他の実施の形態を示す図４相当図（２）
【発明を実施するための形態】
【００１７】
以下、図面を以って発明の実施の形態を説明する。
【００１８】
貸金庫装置用の収納棚は、前後左右の縦材１１、１１…と、縦材１１、１１…に多段にねじ止めする支持材１２、１２…と、支持材１２、１２…を介して支持する多数の貸金庫ボックス２０、２０…とを備えてなる（図１、図２）。ただし、図１には、１個の貸金庫ボックス２０と、それを支持する左右一対の支持材１２、１２のみが図示されている。
【００１９】
各縦材１１は、上下に長いチャンネル材である。各縦材１１は、前後の一対を互いに対向させるとともに、左右一対の間隔を貸金庫ボックス２０の幅に適合させて枠状に立設されている。各縦材１１の内側のフランジには、支持材１２、１２…用の取付孔１１ａ、１１ａ…がピッチｐ＝ａ（ただし、ａは基準ピッチ）ごとに上下方向に形成されている。なお、各取付孔１１ａは、支持材１２の固定用の図示しないボルトに適合するタップ孔とする。
【００２０】
各支持材１２は、板材を断面Ｌ形に折り曲げて水平辺１２ａ、垂直辺１２ｂを形成し、垂直辺１２ｂの前後両端部には、それぞれ支持材１２の固定用のボルトを挿通する取付孔１２ｃが各縦材１１の取付孔１１ａに対応させて形成されている。また、水平辺１２ａの前端、後端には、それぞれ上向きのストッパ部１２ｄ、１２ｅが形成されており、後のストッパ部１２ｅは、前のストッパ部１２ｄより高く形成されている。また、垂直辺１２ｂの前端には、外側に開く斜めのガイド部１２ｆが形成されている。
【００２１】
貸金庫ボックス２０は、平箱状の本体２１の上面に蓋２２を装着して構成されている。本体２１の前面、後面には、それぞれ下向きのフック２３が付設されており、フック２３は、支持材１２、１２の後端のストッパ部１２ｅ、１２ｅの間を前後に通過し得るように、長さ、位置が設定されている。蓋２２は、ヒンジ２２ａを介して上方に開くことができ、顧客が保有する鍵を鍵穴２２ｂに挿入して施錠し、解錠することができる。
【００２２】
貸金庫ボックス２０、２０…は、各段の左右一対の支持材１２、１２を介して支持することにより、縦材１１、１１…内に上下多段に収納して支持することができる。なお、支持材１２、１２上の貸金庫ボックス２０は、支持材１２、１２の前後のストッパ部１２ｄ、１２ｄ、１２ｅ、１２ｅを介して前後方向に拘束され、地震などにより不用意に落下したりするおそれがない。
【００２３】
貸金庫ボックス２０を支持材１２、１２上に出し入れする際には、図示しない移載装置を介して前後のフック２３、２３の一方または双方を押し引きすることにより、貸金庫ボックス２０を前後に駆動する。ただし、貸金庫ボックス２０を支持材１２、１２上に収納するときは（図２の矢印Ｋ1 方向）、貸金庫ボックス２０の少なくとも後端部分を前側のストッパ部１２ｄより高く上昇させ、支持材１２、１２上の貸金庫ボックス２０を引き出すときは（同図の矢印Ｋ2 方向）、貸金庫ボックス２０の少なくとも前端部分をストッパ部１２ｄより高く上昇させるものとする。そこで、各段の貸金庫ボックス２０は、上下に隣接する他の貸金庫ボックス２０との間に一定の間隙δを設けることにより、各段の支持材１２、１２上に出し入れ可能に支持されている。
【００２４】
図２において、各貸金庫ボックス２０は、高さｈ＝４ｐ＝４ａに設定されており、上下の間隙δ＝ｐ＝ａに設定されている。そこで、各段の支持材１２、１２…は、各縦材１１のピッチｐ＝ａごとの取付孔１１ａ、１１ａ…を利用して一定間隔Δ＝ｈ＋δ＝５ｐ＝５ａごとに固定することにより、一定の間隙δを介して貸金庫ボックス２０、２０…を多段に支持することができる（図３（Ａ））。ただし、図３（Ａ）は、各縦材１１上の取付孔１１ａ、１１ａ…の位置、各段の支持材１２、１２…の固定位置、各段の支持材１２、１２…上の貸金庫ボックス２０、２０…の相対関係を模式的に図示している。
【００２５】
同様にして、支持材１２、１２…の間隔Δ＝１１ｐ＝１１ａとすれば、高さｈ＝１０ａの貸金庫ボックス２０、２０…に対応させることができ（図３（Ｂ）の最右列）、間隔Δ＝（ｎ＋１）ｐ＝（ｎ＋１）ａとすれば、任意の高さｈ＝ｎａ（ただし、ｎは１以上の自然数）の貸金庫ボックス２０、２０…に対応させることができる（図３（Ｂ）の他の各列）。また、任意の高さｈ＝ｎａの貸金庫ボックス２０、２０…を混在させて多段に支持することも可能である（図４）。ただし、図３（Ｂ）、図４において、各列の貸金庫ボックス２０、２０…は、全部一定の間隙δ＝ａを介して多段に支持されている。また、図３、図４において、取付孔１１ａ、１１ａ…は、貸金庫ボックス２０の最小高さｈ＝４ａを想定して、下から２〜４段分が省略されている。
【００２６】
以上の説明において、収納棚は、たとえば高さｈ＝４ａの貸金庫ボックス２０、２０…を約４０段収納可能な高さにして、たとえば３〜４列を単位として任意の列数を連接し、複列多段に構成することができる。また、収納棚の各列には、図３、図４の各列を任意に組み合わせて収納可能である。
【他の実施の形態】
【００２７】
各縦材１１には、ピッチｐ＝２ａごとに取付孔１１ａ、１１ａ…を形成し、各支持材１２の前後両端部には、各縦材１１の取付孔１１ａに対応させて、各２個の取付孔１２ｃ、１２ｃをピッチα＝ａごとに上下方向に形成することができる（図５（Ｂ）、図６）。ただし、図５（Ａ）は、比較のために図１、図２の支持材１２を図示している。
【００２８】
図６において、高さｈ＝４ａの貸金庫ボックス２０、２０…を一定の間隙δ＝ａを介して多段に支持するために、各段の支持材１２、１２…は、上下の取付孔１２ｃ、１２ｃの一方を交互に選択して使用することにより、一定の間隔Δ＝ｈ＋δ＝５ａ＝２ｐ＋ａ＝３ｐ−ａを実現することができる。また、同様にして、任意の高さｈ＝ｎａの貸金庫ボックス２０、２０…を多段に支持することができ（図７（Ａ）〜（Ｄ））、任意の高さｈ＝ｎａの貸金庫ボックス２０、２０…を混在させて多段に支持することもできる（図８）。ただし、図７（Ａ）〜（Ｄ）、図８において、各列の貸金庫ボックス２０、２０…は、図６と同様に、各縦材１１側のピッチｐ＝２ａごとの取付孔１１ａ、１１ａ…を利用して固定する各段の支持材１２、１２…を介し、全部一定の間隙δ＝ａを介して多段に支持されている。
【００２９】
各縦材１１には、ピッチｐ＝３ａごとに取付孔１１ａ、１１ａ…を形成してもよい（図９）。ただし、このとき、各支持材１２の前後両端部には、各３個の取付孔１２ｃ、１２ｃ…を各縦材１１の取付孔１１ａに対応させてピッチα＝ａごとに上下方向に形成する（図５（Ｃ））。
【００３０】
図９において、各段の支持材１２、１２…は、上下の取付孔１２ｃ、１２ｃ…の１個を選択し、一定の間隔Δ＝ｈ＋δ＝５ａ＝２ｐ−ａ＝ｐ＋２ａを実現することにより、高さｈ＝４ａの貸金庫ボックス２０、２０…を一定の間隙δ＝ａを介して多段に支持することができる。また、同様にして、任意の高さｈ＝ｎａの貸金庫ボックス２０、２０…を多段に支持することができ（図１０（Ａ）〜（Ｄ））、任意の高さｈ＝ｎａの貸金庫ボックス２０、２０…を混在させて多段に支持することもできる（図１１）。なお、図１０（Ａ）〜（Ｄ）、図１１において、各列の貸金庫ボックス２０、２０…は、全部一定の間隙δ＝ａを介して多段に支持されている。
【００３１】
以下同様にして、各縦材１１には、ピッチｐ＝ｍａ（ただし、ｍは２以上の自然数）ごとに取付孔１１ａ、１１ａ…を上下方向に形成し、各支持材１２の前後両端部には、それぞれピッチα＝ａごとにｍ個（ただし、ｍ≧２）の取付孔１２ｃ、１２ｃ…を上下方向に形成することにより、任意の高さｈ＝ｎａ（ただし、ｎは１以上の自然数）の貸金庫ボックス２０、２０…を一定の間隙δ＝ａを介して多段に支持することができる。各支持材１２に形成するピッチα＝ａごとの取付孔１２ｃ、１２ｃ…の１個を選択的に使用することにより、各段の支持材１２、１２…の間隔Δを各縦材１１の取付孔１１ａ、１１ａ…のピッチｐ＝ｍａ内においてαずつ上下方向に微調整することができるからである。また、このとき、各縦材１１の取付孔１１ａ、１１ａ…は、ピッチｐ＝ａごとに形成する図１〜図４の場合に比して、個数を１／ｍに削減することができるから、たとえば各取付孔１１ａをタップ孔にするときなどにおいて、極めて大きな加工工数の削減効果を実現することができる。
【００３２】
以上の論理は、各縦材１１の取付孔１１ａ、１１ａ…のピッチｐ＝ｍａに対し、各貸金庫ボックス２０の高さｈ≠ｎａとし、上下に隣接する貸金庫ボックス２０、２０の間隙δ≠ａとする場合にも拡張して適用可能である。すなわち、各支持材１２の前後両端部には、それぞれピッチα≦δ＜ｐ、個数ｂ≧ｐ／α＋１の取付孔１２ｃ、１２ｃ…を上下方向に形成し、各支持材１２の固定位置を各縦材１１上の取付孔１１ａ、１１ａ…のピッチｐの範囲内にαずつ上下に微調整可能とすることにより、一定の間隙δを介してαの整数倍相当の任意の高さｈの貸金庫ボックス２０、２０…を多段に支持することができる。ただし、このときのピッチαは、ｐ、δの公約数相当の数値であって、しかも実用的な数値を選定するものとする。
【００３３】
なお、各支持材１２は、前後両端部にそれぞれピッチαごとに複数個の取付孔１２ｃ、１２ｃ…を上下方向に形成するに代えて、前後両端部の各１個の取付孔１２ｃの高さ位置をαずつ異ならせて形成する複数種を準備し、その１種を選択して使用しても、同等の効果を実現することができる。
【産業上の利用可能性】
【００３４】
この発明は、貸金庫ボックス２０以外の各種の収納箱等を多段に出し入れ自在に支持する自動倉庫形の収納棚などに対し、広く一般的に適用することができる。
【符号の説明】
【００３５】
１１…縦材
１１ａ…取付孔
１２…支持材
１２ｃ…取付孔
２０…貸金庫ボックス
特許出願人          株式会社  富士精工本社
代理人  弁理士              松  田  忠  秋
【図１】
0005597387.tif 000002
【図２】
0005597387.tif 000003
【図３】
0005597387.tif 000004
【図４】
0005597387.tif 000005
【図５】
0005597387.tif 000006
【図６】
0005597387.tif 000007
【図７】
0005597387.tif 000008
【図８】
0005597387.tif 000009
【図９】
0005597387.tif 000010
【図１０】
0005597387.tif 000011
【図１１】
0005597387.tif 000012